(57)【要約】【課題】被写体を補助照明する効率を上げ、被写体距離に関わらず被写体上の常に画面の中心近傍を選択的に補助照明することができる撮像装置を提供する。【解決手段】第１の裏面反射面３０７により撮影光束７を屈曲する第１のプリズム３０１と、撮影レンズ前群２と、撮影レンズ後群３０６と、第１の裏面反射面３０７に対面する第２の裏面反射面５を有する第２のプリズム１と、補助照明光源３とを備える。補助照明光源３は、第２のプリズム１の背後に配置される。第２のプリズム１を第１のプリズム３０１へ近接させた状態で、出射される補助照明光束６の一部が第２のプリズム１及び第１のプリズム３０１を透過し、被写体を照明する。【選択図】図３
2009210874.tif 000002
【特許請求の範囲】
【請求項１】
被写体から撮像素子へ至る撮影光束の光路中に配置され、第１の裏面反射面により前記撮影光束を屈曲する第１のプリズムと、
前記第１のプリズムの前記被写体側に配置された撮影レンズ前群と、
前記撮影レンズ前群に入射され、前記第１のプリズムで全反射した前記撮影光束が入射する位置に配置された撮影レンズ後群と、
前記第１の裏面反射面に対面する第２の裏面反射面を有する第２のプリズムと、
前記第２のプリズムの背後に配置され、前記第２のプリズムを前記第１のプリズムへ近接させた状態で、出射される補助照明光束の一部が前記第２のプリズム及び前記第１のプリズムを透過し、前記撮影レンズ前群の光軸上を通過して前記被写体を照明する補助照明光源と、
を備えることを特徴とする撮像装置。
【請求項２】
前記補助照明光束の前記被写体に対する照明は自動焦点調節を行う際に実施することを特徴とする請求項１記載の撮像装置。
【請求項３】
前記補助照明光束の波長をλとするとき、前記第１のプリズムに対して前記第２のプリズムを、前記第１の裏面反射面と前記第２の裏面反射面との間の距離が波長λに対しλ／２以下になるまで近接させ、かつ、λ／２を超えるまで離間させることを特徴とする請求項１記載の撮像装置。
【請求項４】
前記補助照明光束は、前記第２のプリズムに入射した後、前記第２の裏面反射面に全反射条件を満たす条件で入射することを特徴とする請求項１記載の撮像装置。
【請求項５】
前記第２のプリズムを前記第１のプリズムへ近接させたとき、前記補助照明光束の一部は、前記第２の裏面反射面にて全反射せずにそれを透過し、更に前記第１の裏面反射面を透過して前記第１のプリズムへ入射することを特徴とする請求項２記載の撮像装置。
【請求項６】
前記第２のプリズムを前記第１のプリズムへ近接させたとき、前記第２のプリズムを経て前記第１のプリズムへ透過する前記補助照明光束の一部は、再び前記第２のプリズムを前記第１のプリズムから離したときに、前記第２の裏面反射面にて再び全反射されることを特徴とする請求項２記載の撮像装置。
【請求項７】
前記第２の裏面反射面を前記第１の裏面反射面に近接させた場合に、前記第２の裏面反射面と前記第１の裏面反射面の間隔を任意に設定するための段差を前記第２の裏面反射面に設けたことを特徴とする請求項１記載の撮像装置。
【発明の詳細な説明】
【技術分野】
【０００１】
本発明は、デジタルカメラに代表される撮像装置に関し、特に、撮像光学系の補助照明光源に特徴のある撮像装置に関する。
【背景技術】
【０００２】
一般に、デジタルカメラ等の撮像装置は、被写体からの十分な光量が得られない環境で自動焦点調節を余儀なくされる場合がある。それに備えて、従来から自動焦点調節（ＡＦ）補助のための補助照明光源を備えることが一般的である。補助照明光源からの照明光束により、被写体を照明し、被写体から得られるコントラスト情報を増やしている。
【０００３】
補助照明光源は、完全に暗く被写体から全くコントラスト情報が得られない場合に使用される他、若干でも周囲に明るさがあり、被写体のコントラストが得られるが、十分でない場合にも使用される。
【０００４】
デジタルカメラの撮像光学系の焦点調節を行う自動焦点調節機構として、イメージセンサからの画像信号を利用して焦点調節を行う機構が知られている。
【０００５】
所謂山登り（ＴＶ）ＡＦ等と呼ばれる公知の自動焦点調節法は、イメージセンサ上に結像された被写体画像からコントラスト情報を取り出して用いる。上記自動焦点調節の方法は、特許文献１、２等に開示されているように公知であるため、詳細な説明は省略する。
【特許文献１】特開昭６２−０３８０８３号公報
【特許文献２】特開昭６２−０３８４０６号公報
【発明の開示】
【発明が解決しようとする課題】
【０００６】
被写体を照明するための上記の補助照明光源は、通常、カメラ筐体の撮影レンズの周辺近傍に、被写体方向に補助照明光を投射するように設置されている。希にストロボ光源を補助照明光源としても利用する製品／場合があるが、多くの場合、専用の補助照明光源が設置されている。
【０００７】
撮影レンズ照明光束の強度ピークの伝搬する方向を補助照明光源の光軸とすると、補助照明光束と撮影レンズの光軸は異なっている。これは、撮影レンズと補助照明光源が異なる位置に設置されているためであるが、このため以下のような課題が存在する。
【０００８】
まず、ＡＦは、画面内の所定の領域内に対して動作するが、基本的には画面の中心付近の範囲に有効である。
【０００９】
従って、補助照明光と撮影レンズの視差のため、補助照明光源の指向性が高いと、画面の中心と補助照明光の光量中心が撮影距離に依存してずれるため、距離によって照明効果が変わる。これを解決するには、補助照明光源の拡散性を大きくする必要がある。
【００１０】
その結果、同じ光量のままでは被写体を照明する効率が低下し、被写体を十分な光量で照明できなくなり、ＡＦを補助する効果自体が低下する。
【００１１】
また、同じ理由で補助照明光が届く有効な距離が短くなる。これを解決するには、光源の光量自体を上げなければならないが、視差の問題は残るため、ＡＦに使用する画面の範囲を効果的に照明する撮影距離は限定される。
【００１２】
本発明の目的は、被写体を補助照明する効率を上げ、被写体距離に関わらず被写体上の常に画面の中心近傍を選択的に補助照明することができる撮像装置を提供することにある。
【課題を解決するための手段】
【００１３】
上記目的を達成するために、請求項１記載の撮像装置は、被写体から撮像素子へ至る撮影光束の光路中に配置され、第１の裏面反射面により前記撮影光束を屈曲する第１のプリズムと、前記第１のプリズムの前記被写体側に配置された撮影レンズ前群と、前記撮影レンズ前群に入射され、前記第１のプリズムで全反射した前記撮影光束が入射する位置に配置された撮影レンズ後群と、前記第１の裏面反射面に対面する第２の裏面反射面を有する第２のプリズムと、前記第２のプリズムの背後に配置され、前記第２のプリズムを前記第１のプリズムへ近接させた状態で、出射される補助照明光束の一部が前記第２のプリズム及び前記第１のプリズムを透過し、前記撮影レンズ前群の光軸上を通過して前記被写体を照明する補助照明光源とを備えることを特徴とする。
【発明の効果】
【００１４】
本発明の撮像装置によれば、被写体を補助照明する効率を上げ、被写体距離に関わらず被写体上の常に画面の中心近傍を選択的に補助照明することができる。
【発明を実施するための最良の形態】
【００１５】
以下、本発明の実施の形態を図面を参照しながら詳細に説明する。
【００１６】
図１は、本発明の実施の形態に係る撮像装置のブロック図である。
【００１７】
図１において、撮像装置（デジタルカメラ）１００は、レンズ及び絞りからなる光学系１０１、メカニカルシャッタ（メカシャッタと図示する）１０２、ＣＣＤやＣＭＯＳ等のイメージセンサである撮像素子１０３を備える。
【００１８】
また、撮像装置１００は、アナログ信号処理を行うＣＤＳ回路１０４、アナログ信号をデジタル信号に変換するＡ／Ｄ変換器１０５、撮像素子１０３とＣＤＳ回路１０４及びＡ／Ｄ変換器１０５を動作させる信号を発生するタイミング信号発生回路１０６を備える。
【００１９】
また、撮像装置１００は、光学系１０１とメカニカルシャッタ１０２及び撮像素子１０３の駆動回路１０７、撮影（撮像）した画像データに必要な信号処理を行う信号処理回路１０８、信号処理された画像データを記憶する画像メモリ１０９を備える。
【００２０】
また、撮像装置１００は、撮像装置１００から取り外し可能な画像記録媒体１１０、信号処理された画像データを画像記録媒体１１０に記録する記録回路１１１、信号処理された画像データを表示する画像表示装置１１２を備える。
【００２１】
また、撮像装置１００は、画像表示装置１１２に画像を表示する表示回路１１３、撮像装置全体を制御するシステム制御部１１４を備える。
【００２２】
システム制御部１１４は、システム制御部１１４で実行される制御方法を記載したプログラム、プログラムを実行する際に使用されるパラメータやテーブル等の制御データを記憶しておく不揮発性メモリ（ＲＯＭ）１１５を備える。不揮発性メモリ（ＲＯＭ）１１５には、キズアドレス等の補正データも記憶しておく。
【００２３】
また、システム制御部１１４は、不揮発性メモリに記憶されたプログラム、制御データ及び補正データを転送して記憶しておき、システム制御部１１４が撮像装置１００を制御する際に使用する揮発性メモリ（ＲＡＭ）１１６を備える。
【００２４】
以下、上述のように構成された撮像装置１００を用いてメカニカルシャッタ１０２を使用した撮影（撮像）動作について説明する。
【００２５】
撮影動作に先立ち、撮像装置１００の電源投入時等のシステム制御部１１４の動作開始時において、不揮発性メモリ１１５から必要なプログラム、制御データ及び補正データを揮発性メモリ１１６に転送して記憶しておくものとする。
【００２６】
また、これらのプログラムやデータは、システム制御部１１４が撮像装置１００を制御する際に使用するとともに、必要に応じて、追加のプログラムやデータを不揮発性メモリ１１５から揮発性メモリ１１６に転送して使用するものとする。また、システム制御部１１４が直接不揮発性メモリ１１５内のデータを読み出して使用するものとする。
【００２７】
まず、光学系１０１は、システム制御部１１４からの制御信号により、絞りとレンズを駆動して、適切な明るさに設定された被写体像を撮像素子１０３上に結像させる。
【００２８】
次に、メカニカルシャッタ１０２は、システム制御部１１４からの制御信号により、必要な露光時間となるように撮像素子１０３の動作に合わせて撮像素子１０３を遮光するように駆動される。
【００２９】
このとき、撮像素子１０３が電子シャッタ機能を有する場合は、メカニカルシャッタ１０２と併用して、必要な露光時間を確保してもよい。撮像素子１０３は、システム制御部１１４により制御されるタイミング信号発生回路１０６が発生する動作パルスを元にした駆動パルスで駆動され、被写体像を光電変換により電気信号に変換してアナログ画像信号として出力する。
【００３０】
撮像素子３から出力されたアナログの画像信号は、システム制御部１１４により制御されるタイミング信号発生回路６が発生する動作パルスにより、ＣＤＳ回路１０４でクロック同期性ノイズを除去し、Ａ／Ｄ変換器５でデジタル画像信号に変換される。
【００３１】
次に、システム制御部１１４により制御される信号処理回路１０８において、デジタル画像信号に対して、色変換、ホワイトバランス、ガンマ補正等の画像処理、解像度変換処理、画像圧縮処理等を行う。
【００３２】
画像メモリ１０９は、信号処理中のデジタル画像信号を一時的に記憶し、かつ、信号処理されたデジタル画像信号である画像データを記憶するために用いられる。
【００３３】
信号処理回路１０８で信号処理された画像データや画像メモリ１０９に記憶されている画像データは、記録回路１１１において画像記録媒体１１０に適したデータ（例えば階層構造を持つファイルシステムデータ）に変換されて画像記録媒体１１０に記録する。
【００３４】
あるいは、上記画像データは、信号処理回路１０８で解像度変換処理を実施された後、表示回路１１３において画像表示装置１１２に適した信号（例えばＮＴＳＣ方式のアナログ信号等）に変換されて画像表示装置１１２に表示される。
【００３５】
ここで、信号処理回路１０８においては、システム制御部１１４からの制御信号により信号処理をせずにデジタル画像信号をそのまま画像データとして、画像メモリ１０９や記録回路１１１に出力してもよい。
【００３６】
また、信号処理回路１０８は、システム制御部１１４から要求があった場合に、信号処理の過程で生じたデジタル画像信号や画像データの情報をシステム制御部１１４に出力する。上記情報は、例えば、画像の空間周波数、指定領域の平均値、圧縮画像のデータ量等の情報、あるいは、それらから抽出された情報である。
【００３７】
更に、記録回路１１１は、システム制御部１１４から要求があった場合に、画像記録媒体１１０の種類や空き容量等の情報をシステム制御部１１４に出力する。
【００３８】
次に、画像記録媒体１１０に画像データが記録されている場合の再生動作について説明する。
【００３９】
システム制御部１１４からの制御信号により記録回路１１１は、画像記録媒体１１０から画像データを読み出す。同じくシステム制御部１１４からの制御信号により信号処理回路１０８は、画像データが圧縮画像であった場合には、画像伸長処理を行い、画像メモリ９に記憶する。
【００４０】
画像メモリ９に記憶されている画像データは、信号処理回路１０８で解像度変換処理を実施された後、表示回路１１３において画像表示装置１１２に適した信号に変換されて画像表示装置１１２に表示される。
【００４１】
図２は、図１の撮像装置によって実行される撮影処理の手順を示すフローチャートである。
【００４２】
本処理は、図１におけるシステム制御部１１４の制御の下に実行される。
【００４３】
図２において、まず、ステップＳ２０１で、システム制御部１１４は、操作部（不図示）に含まれる図示しないメインスイッチ（電源スイッチ）の状態を検出し、オン状態であればステップＳ２０２へ進む。
【００４４】
ステップＳ２０２で、システム制御部１１４は、記録回路１１１に装着された画像記録媒体１１０の残容量を調べ、残容量が例えば、画質設定等から定まる撮影画像データサイズよりも多ければステップＳ２０４へ進み、そうでなければステップＳ２０３へ進む。
【００４５】
ステップＳ２０３で、システム制御部１１４は、画像記録媒体１１０の残容量が不充分であることを警告してステップＳ２０１に戻る。警告は、画像表示装置１１２にメッセージを表示するか、図示しない音声出力部から音声を出力するか、またはその両方により行うことができる。
【００４６】
ステップＳ２０４で、システム制御部１１４は、画像表示装置１１２に測距領域を表示する。即ち、撮影した画像を一時記憶部である画像メモリ１０９へ保存し、表示回路１１３により表示画像を生成して画像表示装置１１２に表示する処理を連続的に行う表示処理において、通常撮影時に設定された測距領域を併せて表示する。
【００４７】
ステップＳ２０５で、システム制御部１１４は、レリーズの状態を調べ、半押し状態であればステップＳ２０７へ進み、そうでなければステップＳ２０６へ進む。ここで、本実施の形態の撮像装置１００は、レリーズの半押し状態により、自動合焦動作（ＡＦ）や自動露出制御動作（ＡＥ）等、本撮影に先立つ処理を開始する。
【００４８】
ステップＳ２０６では、メインスイッチの状態を調べ、オン状態であればステップＳ２０４へ戻り、そうでなければステップＳ２０１へ戻る。
【００４９】
ステップＳ２０７で、システム制御部１１４は、Ａ／Ｄ変換器１０５の出力から被写体輝度を検出する。
【００５０】
その後、ステップＳ２０８で、自動合焦処理（ＡＦ処理）を行う。ステップＳ２０７の検出結果から被写体輝度が所定値より低い場合には、補助照明光源により補助照明光を被写体に向けて所定時間投光してＡＦ処理を行う。
【００５１】
そして、合焦すると、ステップＳ２０９では、レリーズ（不図示）が全押し状態であるかどうかを調べ、全押し状態であればステップＳ２１１へ進み、そうでなければステップＳ２１０へ進む。ステップＳ２１１では、レリーズの全押しにより撮影処理を開始する。
【００５２】
ステップＳ２１０では、レリーズが半押し状態かどうかを調べ、半押し状態であればステップＳ２０９へ戻り、そうでなければステップＳ２０４へ戻る。
【００５３】
ステップＳ２１２では、ステップＳ２０２と同様に、画像記録媒体１１０の残容量を調べ、次の撮影に必要な残容量があればステップＳ２１３へ進み、そうでなければステップＳ２０３へ進む。
【００５４】
ステップＳ２１３では、レリーズが全押し状態であるかどうかを調べ、全押し状態でなければステップＳ２１０へ進む。
【００５５】
図３は、図１における光学系の第１の実施の形態の詳細構成を示す図である。
【００５６】
光学系１０１は、所謂、前群凹、後群凸のパワーを持つ、レトロフォーカス構成の２群以上のズーム機構の配置で、下記に示す構成を有する。
【００５７】
まず、基本構成を説明する。
【００５８】
第１のプリズム３０１は、被写体から撮像素子１０３へ至る撮影光束７の光路中に配置され、裏面反射面（第１の裏面反射面）３０７により撮影光束７を屈曲する。
【００５９】
撮影レンズ前群２（撮影レンズ３０２、３０３）は、負の屈折力を有し、第１のプリズム３０１（折り曲げミラー、裏面反射プリズム）よりも物体側にある。
【００６０】
撮影レンズ後群３０６は、第１のプリズム３０１よりも像側にあり、正の屈折力を有し、移動により広角端から望遠端まで変倍、及び、フォーカスを行う。
【００６１】
撮影レンズ３０２、３０３から入射する被写体からの撮影光束７は、撮影レンズ前群２を経て、第１のプリズム３０１へ入射する。撮影光束７は、第１のプリズム３０１により折り曲げられ、撮影レンズ後群３０６へ入射し、フィルタ３０４、３０５を経て撮像素子１０３へ結像する。
【００６２】
そして、本実施の形態においては、第１のプリズム３０１の背面側（裏面反射面３０７側）に第２のプリズム１、及び補助照明光源３、不図示の付勢機構、補助照明光源３の点灯手段、それらの制御手段を新たに追加／配置したものである。
【００６３】
ここで、補助照明光源３は、第２のプリズム１を第１のプリズム３０１へ近接させた状態で、出射される補助照明光束６の一部が第２のプリズム１及び第１のプリズム３０１を透過し、撮影レンズ前群２の光軸上を通過して被写体を照明する。補助照明光束６の被写体に対する照明は自動焦点調節を行う際に実施する。
【００６４】
第１のプリズム３０１は、プリズム及び／またはその断面において、光線の入射面と、裏面反射面３０７で反射した光線が射出する面が二等辺であり、裏面反射面３０７を底辺とする二等辺三角形であるような三角柱形状である。
【００６５】
第１のプリズム３０１の裏面反射面３０７と、裏面反射面（第２の裏面反射面）５が対面するようにして配置された第２のプリズム１は、第１のプリズム３０１よりも小型である。
【００６６】
第２のプリズム１の背後から補助照明光源３にて、補助照明光束６を第２のプリズム１に入射させる。補助照明光束６は、第２のプリズム１の裏面反射面５にて全反射を起こし、略直角に進行方向を曲げられる。
【００６７】
このとき、第２のプリズム１の裏面反射面５では、反射光束の僅かな滲み出しが起きている。即ち、媒質側（ガラス側）から裏面反射面５を介し、裏面側の空気中に僅かに反射光束（エバネセント波）が滲み出している（エバネセント効果）。
【００６８】
一般に、裏面反射面５の裏側に別な透明媒質による屈折境界面が近接し、これが裏面反射面５からエバネセント波の滲み出ている範囲よりも近づいた場合、補助照明光束６の光束成分の一部は反射せずに、後ろの媒質内に直進する。これは、ＦＴＩＲ（Frustrated Total Internal  Reflection）と呼ばれる。
【００６９】
媒質１から媒質２への境界面において、エバネセント波の滲み出し距離を以下のように計算する。
【００７０】
それぞれの屈折率をＮｐ、Ｎａｉｒとする。ガラスの屈折率をＮｐ=１．５とした場合、空気（Ｎａｉｒ=１．０）中への滲み出し距離ξは、境界面への入射角をθ、波長λとして、次式で与えられる。この関係を図４に示す。
【００７１】
図４は、図３におけるプリズム（ガラス）と空気の境界面におけるエバネセント波の滲み出し長さを示す特性図である（１）。
【００７２】
【数１】
2009210874.tif 000003
【００７３】
入射角θを ４５°±２°、補助照明光源３を単色ＬＥＤとし、波長λを５８０ｎｍとしたとき、ξは約２６０ｎｍ程度の範囲になる。従って、凡そ可視域において、λ／２程度以下の距離へ近づけることが必要である。
【００７４】
この効果を利用して、補助照明を行うために以下の構成とする。
【００７５】
第１のプリズム３０１の裏面反射面３０７を精度の高い研磨面とし、撮影時はこの面で照明光束７を裏面反射させる。
【００７６】
補助照明光の投射を行いたい場合には、第２のプリズム１は、不図示の駆動装置により、同図中両矢印４の方向へ付勢される。この結果、第２のプリズム１は、第１のプリズム３０１に、裏面反射面３０７と裏面反射面５において密着し、ＦＴＩＲの条件を満たす。
【００７７】
補助照明光源３を点灯し、本来なら、第２のプリズム１の裏面反射面５にて全反射するはずの補助照明光束６を第１のプリズム３０１内に取り出す。
【００７８】
補助照明光束６は、補助照明光源３に含まれる補助レンズにより、収束パワーを与えられているが、第１のプリズム３０１の前（被写体側）に置かれた撮影レンズ前群２のみとの合成パワーにより、略平行な光束となる。そして、補助照明光束６は、撮影レンズ前群２の光軸上を通過して被写体に投射され、被写体を照明する。
【００７９】
補助照明光束６は、常に撮影レンズ３０２、３０３の光軸上を照射されるため、画面上の中心付近に該当する部分だけを撮影距離に関わらず照明する。また、被写体から反射／散乱してきた撮影光束７は、撮影レンズ３０２及び３０３を経て、第１のプリズム３０１の裏面反射面３０７に到達する。
【００８０】
裏面反射面３０７は、撮影レンズ３０２、３０３の瞳に近いため、撮影光束７はここでは裏面反射面３０７の有効部一杯に通過する。このとき、第２のプリズム１の裏面反射面５は裏面反射面３０７の有効径よりも小さいため、裏面反射面５の外側の領域で補助照明光源３を透過してしまう以外の撮影光束７は、撮影レンズ後群３０６、フィルタ３０４、３０５を経て、撮像素子１０３へ結像する。この撮影光束７の情報を用いてＴＶＡＦ及びＥＶＦの表示を行うことができる。
【００８１】
第２のプリズム１は、第１のプリズム３０１に対して密着させることで、ＦＴＩＲの状態に至り、これらを所定の距離まで離すことで、第２のプリズム１と第１のプリズム３０１間の光束の通過は遮断される。
【００８２】
但し、不用意な迷光を防止するため、付勢の解除と同時に補助照明光源３は消灯する。画像のキャプチャーときには、先の不図示の駆動装置による第２のプリズム１への両矢印４方向への付勢を解除すれば、直ちに撮影光束７は、第１のプリズム３０１内にて全反射し、撮像素子１０３へ結像する。
【００８３】
ＦＴＩＲを実現するためには、第１のプリズム３０１に、第２のプリズム１を付勢して密着すればよいだけであり、付勢を解除すれば補助照明光源３の光路は無効になる。しかしながら、第１のプリズム３０１に第２のプリズム１が吸着してしまうこともある。
【００８４】
これを防止するためには、可動側である第２のプリズム１を可撓性の部材、弾性体等により保持すればよい。または、第１のプリズム３０１と第２のプリズム１の密着させる面に、額縁状に薄膜を形成しておくという技術もある。
【００８５】
不図示の駆動手段であるが、必要な駆動量（移動量）μｍ以下のオーダーであり、非常に微少量であるため大がかりな仕掛けは必要ない。また、単純に押し付けて保持していればよいので、駆動距離の精度等は全く不要である。
【００８６】
更に、密着させるときのみ付勢力が掛かればよく、先述のように付勢力を解除するだけで、先に述べたように弾力等により勝手に密着状態から離れてくれるため、引き離す方向の制御等は不要であり、オン／オフの一系統による制御でよい。
【００８７】
本実施の形態においては、補助照明光束６の波長をλとするとき、第１のプリズム３０１に対して第２のプリズム１を、裏面反射面３０７と裏面反射面５との間の距離が波長λに対しλ／２以下になるまで近接させ、かつ、λ／２を超えるまで離間させる。
【００８８】
また、補助照明光束６は、第２のプリズム１に入射した後、裏面反射面５に全反射条件を満たす条件で入射する。
【００８９】
図５は、図３におけるプリズム（ガラス）と空気の境界面におけるエバネセント波の滲み出し長さを示す特性図である（２）。
【００９０】
図５は、波長を３種類に限定し、入射角を４５°±２°の範囲における、ガラスの屈折率をＮｐ=１．５とした場合の空気（Ｎａｉｒ=１．０）中への滲み出し距離ξを示したものである。このように４５°±２°の範囲で滲み出し距離が２倍近く異なる。
【００９１】
補助照明光束６に強い収束／拡散パワーを与える場合、境界面での滲み出しが光束内にて異なるため、補助照明光束６に強度ムラが発生してしまうことが考えられる。
【００９２】
本発明の第２の実施の形態では、第２のプリズム１の裏面反射面５に所定の厚さで薄膜等を付け、密着させた場合のギャップに光線入射角に応じた差を付ける。それにより、入射角度に応じて滲み出し量が異なっている場合でも、補助照明光束６の通過を均等に近づけることが可能になる。
【００９３】
図６は、図１における光学系の第２の実施の形態の要部構成を示す図である。
【００９４】
図６において、薄膜の上側に大段差２０を設け、下側に小段差２１を設けることで、図の上側と下側で２つの裏面反射面５、３０８の間隔に任意の差を生じさせるものである。
【図面の簡単な説明】
【００９５】
【図１】本発明の実施の形態に係る撮像装置のブロック図である。
【図２】図１の撮像装置によって実行される撮影処理の手順を示すフローチャートである。
【図３】図１における光学系の第１の実施の形態の詳細構成を示す図である。
【図４】図３におけるプリズム（ガラス）と空気の境界面におけるエバネセント波の滲み出し長さを示す特性図である（１）。
【図５】図３におけるプリズム（ガラス）と空気の境界面におけるエバネセント波の滲み出し長さを示す特性図である（２）。
【図６】図１における光学系の第２の実施の形態の要部構成を示す図である。
【符号の説明】
【００９６】
１  第２のプリズム
２  撮影レンズ前群
３  補助照明光源
５  裏面反射面
６  補助照明光束
７  撮影光束
３０１  第１のプリズム
３０６  撮影レンズ後群
３０７  裏面反射面
【図１】
2009210874.tif 000004
【図２】
2009210874.tif 000005
【図３】
2009210874.tif 000006
【図４】
2009210874.tif 000007
【図５】
2009210874.tif 000008
【図６】
2009210874.tif 000009